(57)【要約】【課題】  基端側が壁面に少なくとも上下方向が変位不能に保持固定され、遊端側が壁面から張架されたワイヤによって下方向への変位不能に保持されて、壁面から立設される棒状の照明器具において、簡単に設置可能にするとともに、横揺れ強度や耐荷重を増加する。【解決手段】  ワイヤを２本とし、各ワイヤ１８，１９を、器具１側はフック７によって遊端部に１点止めとし、壁面１１側は、基端部が該壁面１１に保持固定される取付け板１２の位置よりも上方側で、かつ前記取付け板１２の位置を基準として、相互に異なる方向で、水平方向に相互に間隔を開けた２点止めとする。すなわち、床面上に投影すると、各ワイヤ１７，１８は三角形の２辺となり、壁面１１が残りの１辺となり、壁面１１から立設される棒状の照明器具１を、器具１側は１点止めで簡単に設置することができるとともに、横揺れ強度や耐荷重を増加することができ、器具１の大型化に対応することができる。【選択図】      図１
2005216529.tif 000002
【特許請求の範囲】
【請求項１】
基端側が壁面に少なくとも上下方向が変位不能に保持固定され、遊端側が前記壁面から張架された支持線によって少なくとも下方向への変位不能に保持されることで、壁面から立設される棒状の電気器具において、
前記支持線を２系統架設し、各系統の支持線は、器具側が前記遊端部における１点で共通に保持固定され、壁面側は、前記基端部が該壁面に保持固定される位置よりも上方側で、かつ該基端部が壁面に保持固定される位置を基準として、相互に異なる方向で、水平方向に相互に間隔を開けた２点でそれぞれ保持固定されることを特徴とする電気器具。
【請求項２】
前記支持線は前記遊端部における保持固定点で折返された１本のワイヤから成り、一端は壁面の一方の保持固定点に係止され、他端は壁面の他方の保持固定点に長さ調整可能に係止されることを特徴とする請求項１記載の電気器具。
【請求項３】
前記支持線は前記遊端部における保持固定点で折返された１本のワイヤから成り、それらの両端は前記壁面の２つの保持固定点に係止され、
器具側の前記遊端部における保持固定点は、
器具の長手方向に変位自在であり、前記支持線を把持する移動部材と、
前記移動部材を前記器具の長手方向の任意位置で固定する固定部材とを備えて構成されることを特徴とする請求項１記載の電気器具。
【請求項４】
前記移動部材は、前記支持線を把持するフックと、前記フックが上面に固着され、前記器具の天面において、該器具の長手方向に形成された案内溝に、器具の内側から嵌り込んで前記長手方向に摺動変位自在の移動部とを有して成り、
前記固定部材は、前記案内溝の近傍において、前記器具の天面に前記長手方向に間隔を開けて形成される複数の位置決め凹所と、前記移動部の上面に立設される位置決め凸部とを有して成ることを特徴とする請求項３記載の電気器具。
【請求項５】
照明器具であることを特徴とする請求項１〜４のいずれか１項に記載の電気器具。
【発明の詳細な説明】
【技術分野】
【０００１】
本発明は、照明器具などとして好適に実施され、壁面から立設される棒状の電気器具に関し、特にその壁面からの吊構造に関する。
【背景技術】
【０００２】
基端側が壁面に少なくとも上下方向が変位不能に保持固定され、遊端側が前記壁面から張架された支持線によって少なくとも下方向へ変位不能に保持されることで、上記のように、壁面から立設される棒状の電気器具としては、たとえば直管状の蛍光灯灯具や、スポットライト等の照明器具を吊下げる配線ダクトなどが挙げられる。
【０００３】
典型的な従来技術である前記直管状の蛍光灯灯具は、たとえば図１１で示すような構造で壁面に取付けられている。この図１１の構造は、非特許文献１に示されるものである。この図１１の構造では、前記直管状の蛍光灯を内蔵した器具本体１は、基端側が取付け板２によって壁面３に変位不能に保持固定され、遊端側が前記壁面３から張架されたワイヤ４によって少なくとも下方向への変位不能に保持されている。前記ワイヤ４の一端は、壁面３に取付けられた取付け金具５に係止されている。また、前記ワイヤ４は、器具本体１を水平に保持するために該ワイヤ４に必要となる長さ分が器具本体１から外部に露出し、他端側の余剰分は、器具本体１内で、巻取られるなどして収納されている。
【０００４】
また、前記配線ダクトは、たとえば図１２で示すようなものである。前記図１１に対応する部分には、同一の参照符号を付して示す。この配線ダクト１１も前記蛍光灯灯具と同様に、基端側が取付け板２によって壁面３に変位不能に保持固定され、遊端側が前記壁面３に取付けられた取付け金具５から張架されたワイヤ４によって少なくとも下方向への変位不能に保持されている。この配線ダクト１１は、大略的に、その軸直角断面がＵ字状に形成されており、前記Ｕ字の両側壁の内周側には、長手方向に延びる相互に異なる極性の電極が敷設されている。そして、照明器具１３の基端部を、棒状の前記配線ダクト１１の任意位置において、前記Ｕ字の凹所内に差込み、角変位することで、該照明器具１３の基端部に形成された一対の電極端子が前記配線ダクト１１の電極にそれぞれ接触し、電源供給が可能となっている。
【０００５】
一方、特許文献１には、２本のロッドを一対として、鉛直面上で揺動変位自在となるように一端を壁面にそれぞれ枢支し、他端を壁面からそれぞれ張架したワイヤで保持し、ロッド間に照明器具を摺動変位自在とすることで、照明器具を、前記ロッドの起立状態の壁面取付けの状態と、前記ロッドの水平状態の壁面から立設した状態とに取付け状態を切換えられるようにし、かつその取付け位置も、ロッド上を照明器具を摺動変位させることで、任意に調整可能にした照明具が提案されている。この従来技術も、壁面から立設するために、ロッドには１本のワイヤが張架されている。
【０００６】
また、特許文献２には、壁面に、水平方向に相互に間隔を開けて２つの取付け座板を取付けておき、それぞれ２本のワイヤが引出された嵌合金具を前記取付け座板に嵌着螺締することによって、前記２本のワイヤで各端部が吊下げられる吊棚を壁面に取付けることが示されている。この従来技術では、１つの取付け座板に２本のワイヤが使用されるが、それは吊棚の壁面側を固定しないためである。
【０００７】
さらにまた、特許文献３には、鉛直面上で揺動変位自在となるようにアームの一端を壁面に枢支し、他端を壁面から張架した長さ調整可能なワイヤで保持することで、前記アームの先端に取付けた照明器具の位置を変えられるようにした照明器具の回動装置が提案されている。
【非特許文献１】松下電工（株）カタログＮＯ．照Ｂ−７５５，Ｐ２５６
【特許文献１】実公平６−２１１２４号公報
【特許文献２】特開平９−５６５１２号公報
【特許文献３】実開平１−１１９１１２号公報
【発明の開示】
【発明が解決しようとする課題】
【０００８】
しかしながら、上述の従来技術では、横揺れに弱く、また耐荷重も比較的小さいという問題がある。
【０００９】
本発明の目的は、壁面から立設される棒状の電気器具を、簡単に設置することができるとともに、横揺れ強度や耐荷重を増加することができる電気器具を提供することである。
【課題を解決するための手段】
【００１０】
本発明の電気器具は、基端側が壁面に少なくとも上下方向が変位不能に保持固定され、遊端側が前記壁面から張架された支持線によって少なくとも下方向への変位不能に保持されることで、壁面から立設される棒状の電気器具において、前記支持線を２系統架設し、各系統の支持線は、器具側が前記遊端部における１点で共通に保持固定され、壁面側は、前記基端部が該壁面に保持固定される位置よりも上方側で、かつ該基端部が壁面に保持固定される位置を基準として、相互に異なる方向で、水平方向に相互に間隔を開けた２点でそれぞれ保持固定されることを特徴とする。
【００１１】
上記の構成によれば、直管状の蛍光灯灯具や、スポットライト等の照明器具を吊下げる配線ダクトなどの棒状の電気器具として実現され、基端側が壁面に少なくとも上下方向が変位不能に保持固定され、遊端側が前記壁面から張架された支持線によって少なくとも下方向への変位不能に保持されることで、壁面から立設される電気器具において、前記支持線を２系統とし、各系統の支持線を、器具側は前記遊端部に１点止めとし、壁面側は、前記基端部が該壁面に保持固定される位置よりも上方側で、かつ該基端部が壁面に保持固定される位置を基準として、相互に異なる方向で、水平方向に相互に間隔を開けた２点止めとする。すなわち、床面上に投影すると、前記各系統の支持線は三角形の２辺となり、壁面が残りの１辺となる。
【００１２】
したがって、壁面から立設される棒状の電気器具を、器具側は１点止めで簡単に設置することができるとともに、横揺れ強度や耐荷重を増加することができ、器具の大型化に対応することができる。
【００１３】
また、本発明の電気器具は、前記支持線は前記遊端部における保持固定点で折返された１本のワイヤから成り、一端は壁面の一方の保持固定点に係止され、他端は壁面の他方の保持固定点に長さ調整可能に係止されることを特徴とする。
【００１４】
上記の構成によれば、上述のように床面上に投影した場合に三角形の２辺となる２つの系統の支持線を、遊端部における保持固定点で折返された１本のワイヤとする。そして、その一端を壁面の一方の保持固定点に係止し、他端を壁面の他方の保持固定点に長さ調整可能に係止する。
【００１５】
したがって、２系統の支持線の４つの端部の内、１つを調整するだけで、支持線の長さ調節、したがって器具の傾き調節を行うことができ、設置作業が簡単である。
【００１６】
さらにまた、本発明の電気器具では、前記支持線は前記遊端部における保持固定点で折返された１本のワイヤから成り、それらの両端は前記壁面の２つの保持固定点に係止され、器具側の前記遊端部における保持固定点は、器具の長手方向に変位自在であり、前記支持線を把持する移動部材と、前記移動部材を前記器具の長手方向の任意位置で固定する固定部材とを備えて構成されることを特徴とする。
【００１７】
上記の構成によれば、上述のように床面上に投影した場合に三角形の２辺となる２つの系統の支持線を、遊端部における保持固定点で折返された１本のワイヤとする。そして、その両端に形成したループを壁面に取付けたフックに引掛けるなどして、該支持線の両端を壁面の２つの保持固定点にそれぞれ係止し、これに対して、器具側の前記遊端部における保持固定点を、器具の長手方向に変位自在であり、前記支持線を把持する移動部材と、前記移動部材を前記器具の長手方向の任意位置で固定する固定部材とを備えて構成し、支持線の器具への取付け位置の調整を可能にする。
【００１８】
したがって、予め長さが決められ、両端が前記ループ状などに加工された１本の支持線を用いても、該支持線の略中間を移動部材に引掛け、さらに移動部材を器具の長手方向、すなわち壁面に対して近接／離反方向に変位するだけで、器具の傾き調節を行うことができ、設置作業が簡単である。
【００１９】
また、本発明の電気器具では、前記移動部材は、前記支持線を把持するフックと、前記フックが上面に固着され、前記器具の天面において、該器具の長手方向に形成された案内溝に、器具の内側から嵌り込んで前記長手方向に摺動変位自在の移動部とを有して成り、前記固定部材は、前記案内溝の近傍において、前記器具の天面に前記長手方向に間隔を開けて形成される複数の位置決め凹所と、前記移動部の上面に立設される位置決め凸部とを有して成ることを特徴とする。
【００２０】
上記の構成によれば、器具の遊端部を持上げ、支持線を弛ませた状態では移動部材が案内溝内で落込み、これによって位置決め凸部が位置決め凹所から外れ、該移動部材は前記器具の長手方向に変位自在となる。この状態で、器具が所望とする、たとえば水平となる位置に前記移動部材を移動させた状態で、前記器具の持上げを止めると、前記支持線が張り、移動部材が案内溝内で上昇し、これによって位置決め凸部が位置決め凹所に嵌り込み、該移動部材はその位置で位置決め固定される。
【００２１】
したがって、予め長さが決められた１本の支持線を用いても、器具の傾き調節を極めて容易に行うことができる。
【００２２】
さらにまた、本発明の電気器具は、照明器具であることを特徴とする。
【００２３】
上記の構成によれば、設置位置が天井付近で、作業者は手を上げての作業となり、また器具の重量も比較的重い照明器具では、上記のような設置作業の簡略化は、特に有効である。
【発明の効果】
【００２４】
本発明の電気器具は、以上のように、直管状の蛍光灯灯具や、スポットライト等の照明器具を吊下げる配線ダクトなどの棒状の電気器具として実現され、基端側が壁面に少なくとも上下方向が変位不能に保持固定され、遊端側が前記壁面から張架された支持線によって少なくとも下方向への変位不能に保持されることで、壁面から立設される電気器具において、前記支持線を２系統とし、各系統の支持線を、器具側は前記遊端部に１点止めとし、壁面側は、前記基端部が該壁面に保持固定される位置よりも上方側で、かつ該基端部が壁面に保持固定される位置を基準として、相互に異なる方向で、水平方向に相互に間隔を開けた２点止めとする。すなわち、床面上に投影すると、前記各系統の支持線は三角形の２辺となり、壁面が残りの１辺となる。
【００２５】
それゆえ、壁面から立設される棒状の電気器具を、器具側は１点止めで簡単に設置することができるとともに、横揺れ強度や耐荷重を増加することができ、器具の大型化に対応することができる。
【発明を実施するための最良の形態】
【００２６】
［実施の形態１］
図１は本発明の実施の第１の形態の電気器具である照明器具１の取付け状態を示す平面図であり、図２はその正面図であり、図３はその側面図であり、図４は取付け過程を示す側面図である。この照明器具１は、図３および図４で示すように、直管状の蛍光灯２を内部に収納し、下面（底面）から照明光を放射する直管状の蛍光灯灯具である。しかしながら、前記図１２で示すように、ランプ照明器具を吊下げる配線ダクトなどであってもよいことは言うまでもない。前記蛍光灯２は、その両端の電極が、ソケット３，４によって該照明器具１に保持されている。該照明器具１内にはまた、インバータ５などの前記蛍光灯２の点灯のために必要となる回路が収納されている。
【００２７】
上述のように構成される照明器具１において、その基端側には、該基端側の端面から入り込むスロット６が形成されており、遊端側には、その上面にフック７が取付けられている。一方、壁面１１には、予め取付け板１２が取付けられるとともに、注目すべきは、本発明では、図２〜図４で示すように、その上方において、図１および図２で示すように、前記取付け板１２が取付けられる位置を基準として、相互に異なる方向で、水平方向に相互に間隔を開けた２点に、フック１３，１４が取付けられることである。前記取付け板１２は、前記壁面１１に螺子止めなどによって固定される板状の壁面取付け部１５と、その壁面取付け部１５から立設される板状の器具取付け部１６とを備えて構成されており、たとえば鉛直面での断面が、Ｌ字状やＴ字状に形成される（図３および図４ではＴ字状）。
【００２８】
そして、図４から図３で示すように、前記スロット６に取付け板１２の器具取付け部１６を差し込むように照明器具１の基端側が壁面１１と略垂直に移動され、図４から図３で示すように、つまみ螺子１７によって前記スロット６と取付け板１２とが締着されることで、棒状の照明器具１の基端側が壁面１１に少なくとも上下方向が変位不能に保持固定される。また、フック７を共通として、フック１３，１４との間に、ワイヤ１８，１９を張架することによって、該照明器具１の取付け状態を床面に投影すると、図１で示すように、前記各ワイヤ１８，１９は三角形の２辺となり、壁面１１が残りの１辺となり、該照明器具１の遊端側が下方向および左右方向も変位不能に保持される。
【００２９】
このように基端側が取付け板１２によって壁面１１に少なくとも上下方向が変位不能に保持固定され、その取付け板１２よりも上方に設けたフックとワイヤによって遊端側を保持固定するようにした照明器具の取付け構造において、ワイヤを参照符１８，１９で示す２系統とし、各ワイヤ１８，１９を、照明器具１側は前記遊端部に１点止めとし、壁面１１側は、前記取付け板１２を基準として、相互に異なる方向で、水平方向に相互に間隔を開けた２点止めとすることで、壁面１１から立設される棒状の照明器具１を、器具側は１点止めで簡単に設置することができるとともに、横揺れ強度や耐荷重を増加することができ、器具の大型化に対応することができる。
【００３０】
照明器具１の傾き調節、すなわちワイヤ１８，１９の長さ調節は、その両端に形成され、フック７；１３，１４に引掛けられるループ１８ａ，１８ｂ；１９ａ，１９ｂの形成位置を変えることで行うことができる。また、図１および図２では、２つのフック１３，１４の照明器具１の軸芯からの水平方向の距離Ｌ１，Ｌ２は、相互に等しいけれども、フック１３，１４の取付け位置の関係で、相互に異なってもよい。
【００３１】
［実施の形態２］
図５は、本発明の実施の第２の形態の照明器具の取付け状態を示す一部分の斜視図である。この取付け構造に使用する照明器具は、前記の照明器具１であり、また取付け板１２およびフック１３，１４も同様である。注目すべきは、この取付け構造では、ワイヤは、参照符２８で示す１本であり、前記フック７部分で折返されていることである。そして、その一端、たとえばフック１３側を係止し、したがってフック１４側を長さ調整可能に係止する。
【００３２】
したがって、前記図４で示すように２系統のワイヤ１８，１９では、ループ１８ａ，１８ｂ；１９ａ，１９ｂを形成した４つの端部の内、２つの調整が必要になる可能性があるのに対して、この取付け構造では、ワイヤ２８の１つの端部を調整するだけで、長さ調節、したがって照明器具１の傾き調節を行うことができ、設置作業が簡単である。
【００３３】
［実施の形態３］
図６は、本発明の実施の第３の形態の電気器具である照明器具３１の取付け状態を示す側面図である。この照明器具３１は、前述の照明器具１に類似し、対応する部分には同一の参照符号を付して示し、その説明を省略する。注目すべきは、この照明器具３１では、フック３７を有する移動部材４１が、図６において、仮想線で示すように、器具の長手方向、すなわち壁面１１に対して近接／離反方向に摺動変位自在であり、その移動部材４１は、固定部材であるつまみ螺子４２によって、前記器具の長手方向の任意位置で固定可能となっていることである。
【００３４】
図７は前記移動部材４１付近を詳しく示す平面図であり、図８はその縦断面図である。この照明器具３１の天板３１ａには、前記移動部材４１を摺動変位自在にするために、長手方向（前記棒状の該照明器具３１の軸線３１ｂ方向）に延びる案内溝４３が形成されている。一方、前記移動部材４１は、ワイヤ３８を把持する前記フック３７と、そのフック３７が上面に固着され、天板３１ａの裏側を摺動変位することができる板状の移動部４４とを有して成り、前記案内溝４３から前記フック３７が突出するように、この移動部材４１は器具の内側から嵌り込んで、前記長手方向に摺動変位可能となる。
【００３５】
前記つまみ螺子４２は、前記案内溝４３を遊挿して前記板状の移動部４４に螺子込まれる軸部４２ａと、前記案内溝４３の幅よりも大径に形成され、作業者が把持し、回転変位させる頭部４２ｂとを有し、軸部４２ａが移動部４４に螺子込まれることで、頭部４２ｂは移動部４４に近接し、それらによって天板３１ａが挟持され、前記前記移動部材４１が位置決め固定される。
【００３６】
これによって、つまみ螺子４２を緩めた状態（図８の状態）で、移動部材４１を案内溝４３に沿って摺動変位させ、任意位置でつまみ螺子４２を締付けることで、ワイヤ３８の照明器具３１に対する取付け位置を移動、したがって該照明器具３１の傾きを調整することができる。したがって、規定長さの１本のワイヤ３８で、かつその両端にフック１３，１４に引掛けるためのループが予め形成されていても、照明器具３１の傾きを調整することができ、設置作業が簡単である。
【００３７】
［実施の形態４］
図９は本発明の実施の第４の形態の電気器具である照明器具５１の移動部材６１付近を詳しく示す平面図であり、図１０はその縦断面図である。この照明器具５１は、前述の照明器具３１に類似し、対応する部分には同一の参照符号を付して示し、その説明を省略する。この照明器具５１でも、天板５１ａには、軸線５１ｂ方向に延びる案内溝４３が形成されている。注目すべきは、この照明器具５１では、その天板５１ａにおいて、案内溝４３の近傍には、前記長手方向に間隔を開けて、複数の位置決め凹所５３が形成されていることである。またこれに対応して、移動部材６１は、前記フック３７と、このフック３７が上面に固着され、天板５１ａの裏側を摺動変位することができる板状の前記移動部４４とを有するとともに、前記移動部４４の上面に立設される位置決め凸部６２とを有して成る。
【００３８】
したがって、前記移動部材６１は、該照明器具５１の遊端部を持上げ、ワイヤ３８を弛ませた状態では、案内溝４３内で落込み、これによって位置決め凸部６２が位置決め凹所５３から外れ、該移動部材６１は該照明器具５１の長手方向に変位自在となる。この状態で、該照明器具５１が所望とする、たとえば水平となる位置に前記移動部材６１を移動させた状態で、該照明器具５１の持上げを止めると、前記ワイヤ３８が張り、移動部材６１が案内溝４３内で上昇し、これによって位置決め凸部６２が位置決め凹所５３に嵌り込み、該移動部材６１はその位置で位置決め固定される。これによって、前述のように予め長さが決められた１本のワイヤ３８を用いても、器具の傾き調節を極めて容易に行うことができる。
【００３９】
本発明は、電気器具一般に実施することで設置作業の簡略化が可能であるけれども、照明器具は、設置位置が天井付近で、作業者は手を上げての作業となり、また器具の重量も比較的重いので、特に有効であり、好適に実施することができる。
【図面の簡単な説明】
【００４０】
【図１】本発明の実施の第１の形態の電気器具である照明器具の取付け状態を示す平面図である。
【図２】図１の正面図である。
【図３】図１の側面図である。
【図４】図１の照明器具の取付け過程を示す側面図である。
【図５】本発明の実施の第２の形態の照明器具の取付け状態を示す一部分の斜視図である。
【図６】本発明の実施の第３の形態の照明器具の取付け状態を示す側面図である。
【図７】図６で示す照明器具の移動部材付近を詳しく示す平面図である。
【図８】図７の縦断面図である。
【図９】本発明の実施の第４の形態の照明器具の移動部材付近を詳しく示す平面図である。
【図１０】図９の縦断面図である。
【図１１】典型的な従来技術である直管状の蛍光灯灯具の取付け状態を示す斜視図である。
【図１２】他の従来技術である配線ダクトの取付け状態を示す斜視図である。
【符号の説明】
【００４１】
１，３１，５１    照明器具
２    蛍光灯
３，４  ソケット
５    インバータ
６    スロット
７，３７    フック
１１    壁面
１２    取付け板
１３，１４    フック
１５    壁面取付け部
１６    器具取付け部
１７    つまみ螺子
１８，１９；２８；３８    ワイヤ
１８ａ，１８ｂ；１９ａ，１９ｂ    ループ
３１ａ，５１ａ    天板
３１ｂ，５１ｂ    軸線
４１，６１    移動部材
４２    つまみ螺子
４２ａ  軸部
４２ｂ  頭部
４３    案内溝
４４    移動部
５３    位置決め凹所
６２    位置決め凸部
【図１】
2005216529.tif 000003
【図２】
2005216529.tif 000004
【図３】
2005216529.tif 000005
【図４】
2005216529.tif 000006
【図５】
2005216529.tif 000007
【図６】
2005216529.tif 000008
【図７】
2005216529.tif 000009
【図８】
2005216529.tif 000010
【図９】
2005216529.tif 000011
【図１０】
2005216529.tif 000012
【図１１】
2005216529.tif 000013
【図１２】
2005216529.tif 000014